(57)【特許請求の範囲】
【請求項１】
計量機を設置したアイランドに消火ノズルを設け、該消火ノズルを開閉弁を介して消火剤ボンベに接続し、敷地の片隅の事務所内にはセルフコンソールを設け、このセルフコンソールには各給油エリアの消火ノズルの開閉弁へ開閉信号を出力する作動スイッチが設けられ、また、セルフコンソールは計量機及び前記開閉弁に接続し、前記作動スイッチからの開閉信号を開閉弁へ出力すると同時に、給油停止信号をセルフコンソールの制御装置へ伝え、制御装置から計量機へ給油停止信号が出力され、計量機は停止するようにし、開口部を有したケースをアイランドの側面に形成した凹部にこの開口部が給油エリアに向くように納め、該ケース内に分岐管を配設してこの分岐管に前記消火ノズルを設け、前記凹部は蓋で覆うことを特徴とした給油所用の消火装置。
【発明の詳細な説明】
【０００１】
【発明の属する技術分野】
本発明は、車にガソリンなどの燃料油を給油する給油所に設置する消火装置に関するものである。
【０００２】
【従来の技術】
給油所は引火性の高い可燃物であるガソリンなどの油を扱う所であることから、火災発生防止には十分配慮することが要求され、例えばボンベタイプの可搬式消火器をアイランド上に設け、作業員がこれを使うことによって火災が給油所全体に広がるのを防いでいた。
【０００３】
しかし、顧客自身が給油を行うセルフサービス給油所においては火災発生時、顧客が燃料油の供給を停止したり、消火器を探したりと迅速に対処することが難しく、初期消火に支障をきたして大災害になるという不都合が有る。そのために、本出願人が特願平９−３０７８７６号として事務所内に居る給油管理者の操作により、アイランド上に設けた消火ノズルより消火剤を噴射させる給油所用の消火装置を提案している。
【０００４】
【発明が解決しようとする課題】
しかし、前記消火ノズルはアイランド上の縁に突出して設けられているので、給油作業を行うためにアイランドに乗り降りする際、邪魔になったり、躓いて怪我をする恐れがあった。また、消火ノズル先端の開口よりゴミやこぼれた油などが進入することによって詰まるなどして、消火剤が噴射出来なくなる恐れもあった。
【０００５】
本発明はこのような問題に鑑みてなされたものであって、その目的とするところは、給油作業の邪魔になることなく、被害を最小限に押さえる給油所用の消火装置を提供することである。
【０００６】
【課題を解決するための手段】
本発明は前記目的を達成するため、計量機を設置したアイランドに消火ノズルを設け、該消火ノズルを開閉弁を介して消火剤ボンベに接続し、敷地の片隅の事務所内にはセルフコンソールを設け、このセルフコンソールには各給油エリアの消火ノズルの開閉弁へ開閉信号を出力する作動スイッチが設けられ、また、セルフコンソールは計量機及び前記開閉弁に接続し、前記作動スイッチからの開閉信号を開閉弁へ出力すると同時に、給油停止信号をセルフコンソールの制御装置へ伝え、制御装置から計量機へ給油停止信号が出力され、計量機は停止するようにし、開口部を有したケースをアイランドの側面に形成した凹部にこの開口部が給油エリアに向くように納め、該ケース内に分岐管を配設してこの分岐管に前記消火ノズルを設け、前記凹部は蓋で覆うことを要旨とするものである。
【０００７】
請求項１記載の本発明によれば、消火ノズルがアイランド内に収納され、給油作業の邪魔にならない。また、通常時は蓋により覆われているので、消化ノズルがゴミ等で詰まることがない。
【０００８】
【発明の実施の形態】
以下、本発明の実施の形態を図面に基づいて説明する。図１は本発明の給油所用の消火装置を設けた給油所の平面図、図２は本発明の給油所用の消火装置の１実施形態を示すブロック図、図３は計量機及び消火ノズルの部分の斜視図、図４は本発明の給油所用の消火装置の１実施形態を示す要部の縦断側面図である。
【０００９】
図１に示すように、給油所１の敷地には前後面に給油エリア２が形成された複数のアイランド３が設けられ、アイランド３上にはそれぞれ計量機４が設けられている。そして、アイランド３の前後面にそれぞれ２個づつの消火ノズル５、５が設けられ、各給油エリア２の消火をカバーするようになっている。
【００１０】
一方、敷地の片隅の室６には消火剤が入れられたボンベ７が設けられ、ボンベ７に接続された消火管８はアイランド３まで配設されている。そして、消火管８には開閉弁９を介して分岐管１０が接続され、この分岐管１０は各面に設けられた２個の消火ノズル５、５に接続されている。
【００１１】
また、敷地の片隅の事務所１１内にはセルフコンソール１２が設けられ、このセルフコンソール１２は計量機４及び開閉弁９に接続されている。
【００１２】
図２に示すように、セルフコンソール１２には、各給油エリア２の消火ノズル５の開閉弁９へ開閉信号を出力する作動スイッチ２１、２１・・・が設けられ、この作動スイッチ２１からの開閉信号を開閉弁９へ出力すると同時に、給油停止信号をセルフコンソール１２の制御装置２２へ伝える。そして、制御装置２２から計量機４へ給油停止信号が出力され、計量機４は停止するようになっている。
【００１３】
図４に示すように、給油エリア２に向いて開口３１を有したケース３２をアイランド３の側面に形成された凹部３３に設け、このケース３２に分岐管１０が配設され、この分岐管１０の先端に消火ノズル５が接続されている。また、ケース３２の開口３１には蓋３４が取付けられている。この蓋３４には、中心部に消火ノズル５の先端を受ける窪み３５と、外周にはシール用のリング３６が設けられ、この蓋３４によって、消火ノズル５へのゴミや油などの進入を防止している。
【００１４】
次に動作を説明する。給油所１の安全を監視している給油管理者が、車の給油口から油が溢れているのを発見して火事の危険を感じたり、給油中の顧客がタバコを吸ったりして火事が発生したのを発見した場合は、この給油エリア２の作動スイッチ２１を押すと、開閉弁９に開弁信号が伝わる。この開弁信号を受けて開閉弁９は開き、ボンベ７内の消火剤は消火管８及び分岐管１０を介して消火ノズル５、５に達する。このとき消火ノズル５から噴射される消火剤の圧力が蓋３４の窪み３５に加わり、この圧力によって蓋３４がケース３２の開口３１より外れて、消火ノズル５の先端から給油エリア２に向かって消火剤が噴射される。これにより火災発生が未然に防止されたり、被害を最小限に押さえることが出来る。
【００１５】
また、作動スイッチ２１から開閉弁９に開弁信号が出力されると同時に、セルフコンソール１２の制御装置２２に給油停止信号が伝わり、セルフコンソール１２から計量機４へ給油停止信号が出力し、計量機４は給油を停止する。これにより計量機４から新たな油の吐出がなくなり、火事の拡大は防止される。
【００１６】
消火剤の噴射により鎮火したならば、再び作動スイッチ２１を押すと、作動スイッチ２１から開閉弁９へ閉弁信号が出力され、この閉弁信号を受けて開閉弁９は閉じ、消火剤の噴射は停止する。そして、ケース３２の開口３１を蓋３４で覆って安全の確認をして、計量機４を復帰させ、次の給油に備える。
【００１７】
なお、蓋３４を樹脂で形成することによって、人や車に蓋３４が当たっても怪我や損傷する恐れがない。
【００１８】
図５に示すように、他の実施例として消火ノズル５の配設位置を中心より上方に偏心することによって、蓋３４が消火剤の圧力で飛ばされたとき、モーメントの関係で下方に飛ぶので、人や車に当たることが少なくなる。
【００１９】
【発明の効果】
以上述べたように本発明に係る給油所用の消火装置は、消火ノズルをアイランド側面に設けた凹部に設けたので給油作業の邪魔になることなく、被害を最小限に押さえることができ、また、通常時は蓋により覆われているので、消火ノズルがゴミ等で詰まることがない。
【図面の簡単な説明】
【図１】    本発明の給油所用の消火装置を設けた給油所の平面図である。
【図２】    本発明の給油所用の消火装置の１実施形態を示すブロック図である。
【図３】    計量機及び消火ノズルの部分の斜視図である。
【図４】    本発明の給油所用の消火装置の１実施形態を示す要部の縦断側面図である。
【図５】    本発明の給油所用の消火装置の他の実施形態例を示す縦断側面図である。
【符号の説明】
１・・・給油所
２・・・給油エリア
３・・・アイランド
４・・・計量機
５・・・消火ノズル
６・・・室
７・・・ボンベ
８・・・消火管
９・・・開閉弁
１０・・・分岐管
１１・・・事務所
１２・・・セルフコンソール
２１・・・作動スイッチ
２２・・・制御装置
３１・・・開口
３２・・・ケース
３３・・・凹部
３４・・・蓋
３５・・・窪み
【図１】
0003835781.tif 000002
【図２】
0003835781.tif 000003
【図３】
0003835781.tif 000004
【図４】
0003835781.tif 000005
【図５】
0003835781.tif 000006